(57)【要約】  本開示に係る原理に従って構築される対話型ポンプシステムにはポンプ系が含まれる。当該ポンプ系には、データタグを送受信および／もしくは保存するため、系がキャプチャした曲線の重ね合わせ（オーバーレイ）を入力するため、セッション中に流される音楽の音楽パラメータを、音量、音楽の種類、もしくはその他の特徴を含めるようにシステムデータに基づいて変更するため、ポンプのユーザーからの顔認識データなどの視覚的情報を受信するため、セッション中に受信した任意のデータもしくはデータ相互作用に基づいて系を処理し更新するため、ならびにセッション中に為された変更の影響に関する影響データを登録するために構築されたコンポーネントを有し、さらには、セッション中に収集されたデータセットもしくはデータ相互作用セットを相関づけることで、セッション中に為された変更の影響に関する影響データを登録し、かつ影響データに基づいてセッション中にリアルタイムにポンプもしくは圧送環境を変化および／もしくはカスタマイズさせることにより、ユーザー体験もしくはセッション効率を向上させるためのコンポーネントも有する。
2020527807.tif 000002
【特許請求の範囲】
【請求項１】
対話型ポンプシステムであって、
圧送セッション中に生成されるデータまたは生成されるデータ相互作用に基づいて、前記圧送セッション中に前記システムを処理し更新するように構成される、一種以上のコンポーネント
を含み、
前記システムがさらに、前記圧送セッション中に生成される前記データまたは生成される前記データ相互作用に応じて、前記圧送セッション中に行われる変更の影響に関する影響データを登録するように構成される
ことを特徴とする、システム。
【請求項２】
対話型圧送システムであって、
セッション中に前記システムが自動的に生成するかもしくはユーザーが入力するタグにより、セッション中に生成されるデータをタグ付けし保存するように構成された、システムコンポーネント
を含むことを特徴とする、システム。
【請求項３】
さらに
データタグを送受信および／もしくは保存するため、
前記システムがキャプチャした曲線の重ね合わせを入力するため、
前記圧送セッション中に流される音楽の音楽パラメータを、音量、音楽の種類、もしくはその他の特徴を含めるようにシステムデータに基づいて変更するため、
ポンプのユーザーからの顔認識データなどの視覚的情報を受信するため、
前記圧送セッション中に受信した任意のデータもしくはデータ相互作用に基づいて、前記システムを処理し更新するため、
前記圧送セッション中に為された変更の影響に関する影響データを登録するため、ならびに、
前記圧送セッション中に収集されたデータセットもしくはデータ相互作用セットを相関づけることで、前記圧送セッション中に為された変更の影響を登録し、かつ影響データに基づいて前記圧送セッション中にリアルタイムにポンプもしくは環境を変化させることにより、ユーザー体験もしくはセッション効率を向上させるため
に構築された一種以上のコンポーネント
を含む、請求項1に記載のシステム。
【発明の詳細な説明】
【技術分野】
【０００１】
本特許出願は、米国特許仮出願第62/534,196号「Method and Interactive System for Enhancing Performance and User Experience with a Pump」（出願日2017年07月18日）の優先権を請求し、この参照により当該出願の全記載事項は本開示に含まれる。
【０００２】
本開示は概して、搾乳機や創傷治療用ポンプなどのポンプ（または搾液行為）における、効率向上とユーザー体験向上のための方法および対話型システムに関する。より具体的には、本開示に係る原理に従って構築されるシステムによって、改善されたユーザー効率とフィードバックが実現できる。
【背景技術】
【０００３】
ポンプのユーザー（または搾る行為をする者）を支援するシステムでは、さまざまな種類のフィードバックを有していてよく、例えば流量データやタイミング機構アラームなどが挙げられる。また他のシステムでも、ポンプの使用に伴う生理学的データを収集して、運用中にユーザーまたはポンプへとデータを提供できるようにもなっている。例えばMichael Larssonによる米国特許第8,597,234号を参照されたい。こうした用途では通常、ポンプのセッションに関連する特定の単独パラメータ（セッション中の乳や流体の流量など）へのフィードバックまたはユーザーの物理的変化へのフィードバックに限られている。
【０００４】
しかしながら既知のシステムでは、ポンプ環境、ユーザー、ポンプ自体、またはその組み合わせからのフィードバックに基づいて、ポンプ環境を向上しかつポンプの使用に伴うユーザー体験を向上するような設計はなされてこなかった。
【発明の概要】
【０００５】
本開示の原理によって、ポンプ効率を向上しポンプに関するユーザー体験を向上するための方法および対話型システムが示される。当該方法には以下のステップの一種以上が含まれる。すなわち、セッション中に生成される種々のデータへのタグを入力し保存するように構成されたシステムを提供するステップ。使用、給餌／授乳、創部排液、またはシミュレーションの前もしくは途中に生成される任意の所望の曲線、または或る生理学的状態下で生成される任意の所望の曲線を重ね合わせることで、圧送（搾液）セッションをカスタマイズするステップ。オープンインターフェイスプラットフォームを提供するステップ。セッション中にポンプから受信するデータに基づいて、音楽その他のパラメータを変化させるステップ。セッション中にポンプから受信するデータに基づいて、圧送パラメータのいずれかを開始もしくは停止するステップ。ポンプに与えられる変更の影響、またはセッション中のユーザー環境もしくは圧送パラメータへ与えられる変更の影響を登録するようにポンプを構成するステップ。
【０００６】
本対話型システムにはポンプ系が含まれる。当該ポンプ系は、データ（タグその他のデータ入力など）を送受信および／もしくは保存するためのコンポーネント、当該系がキャプチャした曲線の重ね合わせ（オーバーレイ）を入力するためのコンポーネント、セッション中に流される音楽についての音楽パラメータを、音量、音楽の種類、もしくはその他の特徴を含めるように系データに基づいて変更するためのコンポーネント、ポンプのユーザーからの顔認識データなどの視覚的情報を受信するためのコンポーネント、系コンポーネントおよび／もしくはソフトウェアによるセッション中に受信した任意のデータまたはデータ相互作用に基づいて、系を処理し更新するためのコンポーネント、ならびにセッション中に為された変更の影響に関する影響データを登録するためのコンポーネントを含み、さらには、データセットもしくはデータ相互作用セットを相関づけて、セッション中に為された変更の影響を登録し、かつその影響データに基づいてポンプまたは環境をリアルタイムに変更することでユーザー体験またはセッション効率を向上させるためのコンポーネントも含む。
【０００７】
本開示の種々の利点について、例示的な実施形態または概念的に具現化されているものを参照しつつ、以降で具体的に説明していく。本開示に係る図面および説明はあくまで、本開示を通じて論じられる一般的概念の例を提示しているものに過ぎない。ここに示す一般的原理から逸脱することなく、当業者が知る膨大な種類の改変を施すことができる。また本開示にて参照した特許および文献のすべては、その参照によりその全体が本開示に含まれる。
【図面の簡単な説明】
【０００８】
本開示に係る種々の実施形態の特徴その他の特徴ならびに利点についてより理解を深めるために、下記の説明および図面を参照されたい。なお図面と発明の詳細な説明を通して共通する参照番号は、同じ要素を指している。
【図１】本開示に係る原理に従って構成されるシステム例であって、ポンプの全機能を、タグもしくは影響データに基づいてセッション中に変更できるものを示している。
【図２】セッション中にユーザーからのフィードバックを受信し、そのフィードバックを用いてそのユーザーのためにセッションを改善するように構成された、別のシステム例を示す。
【図３】圧送セッション中に受信した影響データを解析し相関を示すように構成された、さらに別のシステムを示す。
【図４】本開示に係る原理に従って構築した方法のフローチャートである。
【発明を実施するための形態】
【０００９】
以降の詳細な説明では、添付図面と組み合わせて、本開示に係る原理に従って構築できる種々のシステムコンポーネント（部品）の例を説明することを企図している。なおこれらの例は、当該原理に従って開発もしくは利用できる特定の実施形態または形態を代表することを意図したものではない。また「第一」と「第二」などの相関的な用語は、あくまで或る要素を別の要素から区別するために使っているものであって、それらの要素間に実際に関係や順列があることが求められるまたは示唆される必要はない。
【００１０】
本開示に係る原理に従って構築できる実施形態群の態様は、ポンプと使用中の環境とを監視することで、圧送セッションを改善するための方法およびシステムに関する。その実施例は、以下の実施形態群にて示していく。
【００１１】
以降で詳述するとおり、本開示に係る原理に従って幾通りもの実施形態群を想定できる。例えば図1には、第一の実施形態例に係るシステム 100 の概要を示す。図2には、第二の実施形態例に係るシステム 200 の概要を示す。図3には、第三の実施形態例に係るシステム 300 の概要を示す。図4には方法の例を示す。
【００１２】
本開示に係るシステムを使って、母親または患者から広汎な種類の流体物を収集できることも理解されたい。わかりやすくするため、本明細書ではこうした流体物のことをまとめて「流体」と称している。
【００１３】
本開示に係る原理に従って構築できる対話型ポンプシステムの実施形態例 100 の概要を、図1に示した。この対話型システムをポンプ系の稼働中に使うことで、ポンプ（搾乳機や創傷治療用ポンプなど）と、圧送セッション中に受信される環境情報とを相関づけられる。このシステムでは、セッション中にシステムコンポーネントの一部もしくは全部からデータを受信 110 し、セッション中に生成されるデータ相互作用 120 を解析できる。さらにこのシステムでは、データ相互作用 120 に基づいて影響データ 130 を登録して、その影響データ 130 の出力に基づき、ポンプ運用設定もしくはそれに関連する環境設定が更新されることになるかどうかをリアルタイムに解析できる。そしてそのセッション中かその後において、システムに動作可能に接続する適切な記憶装置に、影響データを直接にもしくは間接に保存できる。例えばユーザーが、ポンプインターフェイスへデータをプラグインとして与えてもよい。こうしたオープンインターフェイスプラットフォームを介してユーザーは適切なアプリケーションを使用でき、例えばMyMedelaや、本原理と整合できるその拡張バージョンなどを使用できる。そうすることで広汎な機能（オープンインターフェイス内で授乳・搾乳セッションを評価することなど）を行える。ユーザーは、一種以上のセンサーから得られた記録データ（ログデータ）、例えばキットからのセンサーデータなどに対して、タイムスタンプを付してもよい。そうしたポンプのオープンインターフェイスデータは、数字、英数字、音声視覚的なものであってよい。またポンプのオープンインターフェイスデータには、ユーザーがリアルタイムに記録したいような任意のデータを、オープンインターフェイスを用いたポンプデータと共にキャプチャできる。或る実施形態においては、環境因子を変更したり、または組み合わせて相互作用を得たりするようにできる。そうした環境因子としては、音楽、照明、もしくはその他の環境的パラメータ、および／またはポンプ運用パラメータ（一種以上のセンサーと組み合わせられるものなど）といったものが挙げられる。例えば圧送データを、システムコンポーネントから受信した顔認識データと組み合わせることで、データ入力に従って定まる相互作用データセットに基づいて、ポンプの運用をリアルタイムに変更可能である。また例えば顔認識コンポーネントが、ユーザーが不安気な表情をしていると解釈してその旨を伝達することで、システムが一種以上のパラメータ（音楽、照明、もしくは圧送速度など）を変更して、現在のユーザーの状況に対処するようにしてもよい。同様に、流体の出を刺激する音楽をシステムが流して、システムコンポーネント（センサーおよび／もしくはその他のコンポーネントなど）が定めるように圧送セッションを最適化してもよい。システムは音楽を圧送セッションのオン／オフスイッチとして機能させてもよいし、あるいはポンプの動きかたを変化させる機能または環境および／もしくはユーザーからの入力に基づいてシステムを変更するための機能として組み込んでもよい。具体的にはシステムは任意のパラメータを変更でき、例えば圧送刺激もしくは官能刺激（音楽など）を、センサー入力、ユーザー入力、もしくは調査に基づく更新、またはその他の任意のデータもしくは信号に基づいて変更してよい。ユーザーはポンプをプログラムして任意の信号を所望の手法で改変するようにもでき、そうすることで直接的または間接的に圧送体験をカスタマイズ可能である。さらにはポンプから受信したデータを処理して、圧送パラメータを一時停止または停止するようにしてもよい。そうした圧送パラメータとしては、サイクル速度、真空度の達成目標、真空プロファイルの形状、ポンプ強度の程度もしくは設定、および／または、ポンプが記録することになるデータの種類といったものが挙げられる。そしてシステムは、変更の影響を直接的にか間接的に登録し、そのデータを使い、次に何をすべきかに関して圧送セッションの一部もしくは全部に対して変更を施せる。こうした変更は、例えば搾乳機などのシステムコンポーネントに動作可能に結合するかまたはその中に提供されたプログラムおよび／またはプロセッサに基づいて行ってよい。
【００１４】
本開示に係る原理に従って構築できる対話型ポンプシステムの別の実施形態例 200 の概要を、図2に示した。このシステムは、一種以上のシステムコンポーネントからユーザーを介して送信されるタグ付けデータ 210 を受信するように構成できる。このシステムコンポーネントとしては例えば、スマートフォン、タブレット、EMRアップデート、調査に基づく更新、システムアップデート、ポンプインターフェイスもしくはポンプシステムに動作可能に接続するデバイスへのユーザー入力、ポンプシステム出力に関するデータを送信する無線入力、またはその他のソースが含まれてよい。より具体的には運用パラメータを、特定のユーザーの健康、特性、もしくは患者のポンプ使用についての関連調査結果に関するユーザー情報その他のデータに基づいてカスタマイズしてもよい。例えばポンプの運用曲線を、調査に基づくユーザーの種別に適するように定めてもよい。本開示に係る原理によれば、そうした曲線をポンプインターフェイスへと送信することで、その曲線の画像をポンプの曲線に重ね合わせ、ポンプインターフェイス上で再描画することにより、調査結果に基づいてポンプ効率を最適化できる。また当該システムはさらに、保存されるかもしくは生成されるシステムパラメータに基づいて圧送セッション中に自動的に生成されるデータに対し、タグ付けを行うためのコンポーネント 220 を含んでいてもよい。セッション中にタグ付けできる情報としては例えば以下が挙げられる。(1) ポンプにより生成されるかもしくはポンプ記録に挿入されるエラーメッセージにより生成されるデータのタグ付け、あるいは、(2) 任意の圧送パラメータに関して、圧送セッション中にユーザーが与えるフィードバック。そうした圧送パラメータとしては例えば、ポンプからの雑音、痛み、真空度の上昇もしくは下降、または乳汁射出反射の開始などが挙げられる。乳汁射出反射の開始については、圧送（搾乳）セッションに対するタグ付けに使えるフラグを情報画面上などに表示してもよい。当該システムはまた、圧送セッション中またはその後に動作可能に接続する一種以上のコンポーネント 230 を含むことで、タグ付けデータを保存するか、および／またはタグ付けデータを相関づけてから保存するようにできる。所望であればコンポーネント 230 が、相互作用システムの有する送信コンポーネントからタグ付けしたデータを受信した後に、それを自動的に削除するようにしてもよい。
【００１５】
本開示に係る原理に従って構築される対話型システムのなおも別の実施形態の概要を、図3に参照番号 300 として示す。このシステムには受信コンポーネント 310 が含まれ、データを受信してその状態を判断するように構成されている。そのデータは、システムコンポーネント 320 からのデータと、セッション中に受信したデータからシステムコンポーネント 330 が生成したデータ相互作用とに大別できる。当該システムはさらに、システムから受信したデータの影響を判断し登録するための一種以上のコンポーネント 340 を有していてもよい。また当該システムがさらにコンポーネント 350 を有することで、ポンプおよび環境を自動的に変更するようにしてもよいし、あるいは圧送セッション中にコンポーネント 340 でのリアルタイム解析結果に基づく推奨更新をユーザーに報せるようにしてもよい。例えばシステムが、圧送セッション中にポンプが受信するデータに基づいて、任意の圧送パラメータを開始または停止するようにしてもよい。
【００１６】
図4に示したように、本開示に係る原理に従う或る方法例では、予想される運用パラメータおよび環境データのうちの一種以上から、圧送セッションに関連するデータを収集するステップと、当該圧送セッション中に必要とされる変化を判断して、その圧送セッションの効率および／もしくは結果をユーザーのために最適化するステップとを含む。
【００１７】
本開示に記載した特定の装置構成の変形例もまた本開示の原理の範囲内であって、そこから導かれる全請求項に含まれるものである。
【図１】
2020527807.tif 000003
【図２】
2020527807.tif 000004
【図３】
2020527807.tif 000005
【図４】
2020527807.tif 000006
【国際調査報告】
2020527807.tif 000007
2020527807.tif 000008